(57)【要約】【課題】光源の分光分布を経時的に一定に維持する。【解決手段】主光源２１からライトガイド２２に至る光路上にビームスプリッタ３１を配置する。ＲＧＢ成分の出力を制御可能な補正用光源３０からの光束をビームスプリッタ３１へ入射し、主光源２１の光束に加算する。加算された光束をビームスプリッタ３１により分岐し、一方をライトガイド２２方向に、他方をそれと垂直な方向に分岐する。分岐された光束を、リフレクタ３５を介して受光センサ３２で受光する。受光センサ３２において光束の３刺激値を検出し、補正回路３３へ入力する。補正回路３３において、メモリ３４から読み出された目標３刺激値と受光センサ３２で計測された３刺激値と比較し、補正用光源３０のＲＧＢ成分の出力を調整する。【選択図】図２
2013090878.tif 000002
【特許請求の範囲】
【請求項１】
補正用光源と、
主光源からの光束に前記補正用光源からの補正光を加算するための光加算用光学素子と、
前記補正光加算後の光束の一部を受光し、前記光束の分光分布を表すパラメータを検出する測色手段と、
前記パラメータの目標値を保持するメモリと、
検出された前記パラメータと前記目標値に基づいて前記補正光加算後の光束の分光分布が前記目標値に一致するように前記補正用光源の分光出力分布を制御する制御手段と
を備えることを特徴とする分光分布調整装置。
【請求項２】
前記パラメータが３刺激値ＸＹＺであることを特徴とする請求項１に記載の分光分布調整装置。
【請求項３】
前記補正用光源がＲＧＢ成分可変の光源であることを特徴とする請求項２に記載の分光分布調整装置。
【請求項４】
前記制御手段が、目標とされる３刺激値と検出された３刺激値のＸ／Ｙ、Ｚ／Ｙを比較し、前記比較に基づき前記補正用光源のＲ成分またはＢ成分の出力調整を行うことを特徴とする請求項３に記載の分光分布調整装置。
【請求項５】
前記制御手段が、目標とされる３刺激値と検出された３刺激値からそれぞれの色度値を算出し、前記色度値の比較に基づき前記補正用光源のＲＧＢ成分の出力調整を行うことを特徴とする請求項３に記載の分光分布調整装置。
【請求項６】
前記光加算用光学素子がビームスプリッタであり、前記測色手段で受光される前記光束が、前記ビームスプリッタにより主光束から分岐された光束であることを特徴とする請求項３に記載の分光分布調整装置。
【請求項７】
前記補正光加算後の光束がライトガイドに入射され、前記補正光加算後の光束の一部が前記ライトガイドの分岐ファイバ束を介して前記測色手段において受光されることを特徴とする請求項３に記載の分光分布調整装置。
【請求項８】
前記主光源の点灯から前記主光源が安定するまでの所定時間に亘ってのみ連続して前記制御手段による制御が実行されることを特徴とする請求項３に記載の分光分布調整装置。
【請求項９】
前記目標値が、前回使用終了時のパラメータの値であることを特徴とする請求項１に記載の分光分布調整装置。
【請求項１０】
請求項１に記載の分光分布調整装置を備えたことを特徴とする内視鏡装置。
【発明の詳細な説明】
【技術分野】
【０００１】
本発明は、光源の分光分布を補正するための分光分布調整装置に関する。
【背景技術】
【０００２】
一般に内視鏡では、光源の光をライトガイドを通して挿入部先端へと導き照明光として利用している。そのため光源の分光分布が変化すると、取得画像のカラーバランスが変化して診察等に悪影響を及ぼす。例えば、切替え可能な２つの光源を備えた電子内視鏡装置では、光源の切替えにより分光分布が変化する。このような電子内視鏡としては、光源毎に予めホワイトバランス調整時の補正データを用意し、切り替えられた光源に合わせてホワイトバランス処理を補正しカラーバランスを一定に維持する構成が知られている（特許文献１）。
【０００３】
また内視鏡装置における照明光の分光分布の変化としては、光量調整用の絞りによる影響も知られている。すなわち内視鏡では、一般的光量調整用の絞りを通してライトガイドに光束が入射されるが、光束の分光分布は空間的に一様ではなく、光束の中心ほど色温度が高い。そのため絞りの大きさによりライトガイドへ入射する光の分光分布が変化し、取得画像のカラーバランスが一定しない。このような問題に対しては、絞りの大きさに応じて光路上に補正フィルタを挿脱し、ライトガイドに入射する光の分光分布の変動を抑える構成が知られている（特許文献２）。
【先行技術文献】
【特許文献】
【０００４】
【特許文献１】特開２００４−１２１５４９号公報
【特許文献２】特開平７−２９９０２８号公報
【発明の概要】
【発明が解決しようとする課題】
【０００５】
ところで光源の分光分布の変化には上述したものの他、経時的なものが存在する。例えば、光源は経時劣化によりその分光分布が変化する。また、照明用の光源には一般的にハロゲンランプやメタルハライドランプ、キセノンランプなどが用いられるが、これらのランプの分光分布は点灯直後から安定するわけではなく、安定するまでには一定の時間が掛かる。
【０００６】
本発明は、光源の分光分布を経時的に一定に維持することを課題としている。
【課題を解決するための手段】
【０００７】
本発明の分光分布調整装置は、補正用光源と、主光源からの光束に補正用光源からの補正光を加算するための光加算用光学素子と、補正光加算後の光束の一部を受光し、光束の分光分布を表すパラメータを検出する測色手段と、パラメータの目標値を保持するメモリと、検出されたパラメータと目標値に基づいて補正光加算後の光束の分光分布が目標値に一致するように補正用光源の分光出力分布を制御する制御手段とを備えることを特徴としている。
【０００８】
パラメータは、例えば３刺激値ＸＹＺであり、補正用光源は、例えばＲＧＢ成分可変の光源であることが好ましい。制御手段は、例えば目標とされる３刺激値と検出された３刺激値のＸ／Ｙ、Ｚ／Ｙを比較し、この比較に基づき補正用光源のＲ成分またはＢ成分の出力調整を行う。また例えば制御手段は、目標とされる３刺激値と検出された３刺激値からそれぞれの色度値を算出し、色度値の比較に基づき補正用光源のＲＧＢ成分の出力調整を行う。
【０００９】
光加算用光学素子は、ビームスプリッタであり、測色手段で受光される光束は、例えばビームスプリッタにより主光束から分岐された光束である。また補正光加算後の光束は、ライトガイドに入射され、補正光加算後の光束の一部はライトガイドの分岐ファイバ束を介して測色手段において受光される。
【００１０】
例えば、主光源の点灯から主光源が安定するまでの所定時間に亘ってのみ連続して制御手段による制御が実行される。また目標値は、前回使用終了時のパラメータの値であることが好ましい。
【００１１】
本発明の内視鏡装置は、上記分光分布調整装置を備えたことを特徴としている。
【発明の効果】
【００１２】
本発明によれば、光源の分光分布を経時的に一定に維持することができる。
【図面の簡単な説明】
【００１３】
【図１】第１実施形態の調光装置を搭載した電子内視鏡装置の構成を示すブロック図である。
【図２】第１実施形態の分光分布調整装置の構成を示すブロック図である。
【図３】分光分布調整処理全体のフローチャートである。
【図４】補正用光源調整処理のフローチャートである。
【図５】第１実施形態の変形例の補正用光源調整処理のフローチャートである。
【図６】第２実施形態の調光装置を搭載した電子内視鏡装置の構成を示すブロック図である。
【図７】第２実施形態の分光分布調整装置の構成を示すブロック図である。
【発明を実施するための形態】
【００１４】
以下、本発明の実施の形態を、図面を参照して説明する。図１は、本発明の第１実施形態の分光分布調整装置を搭載した内視鏡装置の構成を示すブロック図である。なお、図１では、照明系と撮像系に関する一部の構成のみが示され、その他の多くの構成は省略されている。
【００１５】
内視鏡装置１０は、例えば電子内視鏡であり、可撓管状の挿入部を備えるスコープ１１と、スコープ１１が着脱自在に接続されるプロセッサ装置１２と、プロセッサ装置１２に着脱自在に接続されるモニタ１３から主に構成される。
【００１６】
スコープ１１の挿入部先端には例えばＣＣＤなどの撮像素子１４が設けられる。撮像素子１４の駆動は例えばスコープ１１内に設けられた撮像素子駆動回路１５からの駆動信号に基づき制御され、撮像素子駆動回路１５は、プロセッサ装置１２内に設けられたタイミングコントローラ１６からのクロック信号に基づいて駆動信号を生成する。撮像素子１４の撮像面には撮像レンズ１４Ａを介して被写体像が形成され、被写体像の画像信号が生成される。
【００１７】
撮像素子１４から出力される画像信号は、例えばスコープ１１内のアナログフロントエンド（ＡＦＥ）１７を介してデジタル信号に変換され、プロセッサ装置１２内の前段映像信号処理回路１８に送られる。前段映像信号処理回路１８では、ホワイトバランス処理を含む従来周知の所定の画像処理が映像信号に施され、画像メモリ１９に一時的に保持される。
【００１８】
画像メモリ１９に保持された映像信号は、所定のタイミングで後段映像信号処理回路２０へと出力される。後段映像信号処理回路２０において映像信号は所定規格の映像信号へと変換され、例えばモニタ１３へと出力される。なお、前段信号処理回路１８、画像メモリ１９、後段映像信号処理回路２０における一連の処理は、タイミングコントローラ１６からのクロック信号に基づいて行われる。
【００１９】
一方、被写体像の撮影に必要な照明光は、例えばプロセッサ装置１２内に設けられた主光源２１から、スコープ１１内に配設されたライトガイド（光ファイバ）２２を通してスコープ１１の挿入部先端まで伝送される。挿入部先端まで伝送された光は照明レンズ２２Ａを介して被写体に向けて照射される。また本実施形態では、主光源２１とライトガイド２２の入射端との間の光路上に、分光分布調整装置２３、絞り２４、集光レンズ２５などの光学素子が配置され、主光源２１から照射された光はライトガイド２２の入射端に集光される。
【００２０】
なお、主光源２１には、例えばハロゲンランプやメタルハライドランプ、キセノンランプなどが用いられる。
【００２１】
図２は、分光分布調整装置２３の構成を示すブロック図である。分光分布調整装置２３は、主に補正用光源３０、ビームスプリッタ（光加算用光学素子）３１、受光センサ（検出手段）３２、補正回路（制御手段）３３、メモリ３４から構成される。なお、本実施形態の分光分布調整装置２３には、更にリフレクタ３５が設けられるが、リフレクタ３５は省くことも可能である。
【００２２】
主光源２１のランプ２１Ａから照射された光は直接に、または反射鏡２１Ｂで反射されてライトガイド２２に向けて照射される。主光源２１とライトガイド２２の間の光路上には、光束を横切るようにビームスプリッタ３１が配置される。ビームスプリッタ３１は例えばハーフミラーであり、主光源２１からの光束の一部はビームスプリッタ３１を透過してライトガイド２２の入射端に向けて導かれる。一方、残りの一部は所定方向、例えば主光源２１からの光束に対し垂直方向に反射され、リフレクタ３５を介して受光センサ３２へと導かれる。
【００２３】
また、補正用光源３０からの光は、ビームスプリッタ３１に向けて、例えば主光源２１の光束の一部が反射された所定方向に一致する方向に照射される。すなわち、補正用光源３０からの光束は、ビームスプリッタ３１のハーフミラーに対し、主光源２１からの光束が入射する面とは反対側の面から入射する。補正用光源３０からの光は、その一部は反射されてビームスプリッタ３１を透過した主光源２１からの光束に加算され、図１に示した絞り２４、集光レンズ２５を介してライトガイド２２に入射される。一方、補正用光源３０からの光束の残りの一部は、ビームスプリッタ３１を透過してビームスプリッタ３１で反射された主光源２１の光束に加算され、リフレクタ３５を介して受光センサ３２へと導かれる。
【００２４】
なお、本実施形態では、ハーフミラーは主光源２１からの光束の主軸および補正用光源３０からの光束の主軸に対し４５°の傾きを有するが、図２のハーフミラーはその配置を示すもので、反射面の角度は模式的なものである。
【００２５】
受光センサ３２は、分光分布に対応するパラメータ出力を行うセンサであり、本実施形態では例えばパラメータとして３刺激値ＸＹＺを出力する色彩センサが用いられる。受光センサ３２から出力された３刺激値ＸＹＺは、補正回路３３に入力される。また、メモリ３４には上記パラメータの目標値（目標３刺激値）が保存されており、補正回路３３において受光センサ３２から出力されたパラメータ（３刺激値）の値と比較され、これに基づいて補正用光源３０の分光出力が調整される。
【００２６】
なお、目標値としては、例えば前回使用終了時のパラメータの値（実測された３刺激値）が用いられる。また、補正用光源３０としては、相対分光分布が制御可能な光源であればよいが、本実施形態では例えばＲＧＢチップ搭載のＬＥＤ光源が用いられる。
【００２７】
次に図３、図４のフローチャート（および図２）を参照して、分光分布調整装置２３を用いた本実施形態の分光分布調整処理について説明する。
【００２８】
図３のフローチャートは、本実施形態の分光分布調整処理全体を示すもので、主光源２１が点灯されると所定の時間間隔で繰り返し実行される。ステップＳ１００では、メモリ３４から目標光源色（目標分光分布）に対応する目標パラメータ値、すなわち本実施形態では目標３刺激値（Ｘ０，Ｙ０，Ｚ０）が補正回路３３によって読み出される。ステップＳ１０２では、色彩センサである受光センサ３２で検出された３刺激値（Ｘ１，Ｙ１，Ｚ１）が補正回路３３に入力される。
【００２９】
ステップＳ１０２では、主光源２１から出射された光の測色が受光センサ３２において行われ、実際の３刺激値が計測される。なお、補正用光源３０が点灯されているときには、主光源２１の光に補正用光源３０の光を加算したものの３刺激値が計測される。
【００３０】
ステップＳ１０４では、補正回路３３に入力された目標３刺激値（Ｘ０，Ｙ０，Ｚ０）と実測された３刺激値（Ｘ１，Ｙ１，Ｚ１）とに基づき補正用光源３０の調整処理が実行され、その後処理はステップＳ１０２に戻り、同様の処理が繰り返される。
【００３１】
図４は、補正用光源調整処理（ステップＳ１０４）における処理内容を示すフローチャートである。
【００３２】
補正用光源調整処理では、まずステップＳ２００において目標３刺激値のＸ０、Ｙ０の比Ｘ０／Ｙ０の値が、実測された３刺激値のＸ１、Ｙ１の比Ｘ１／Ｙ１と異なるか否かが判定される。Ｘ０／Ｙ０＝Ｘ１／Ｙ１のときにはステップＳ２０２において目標３刺激値のＺ０、Ｙ０の比Ｚ０／Ｙ０の値が、実測された３刺激値Ｚ１、Ｙ１の比Ｚ１／Ｙ１と異なるか否かが判定される。Ｚ０／Ｙ０＝Ｚ１／Ｙ１のときには、目標３刺激値（Ｘ０，Ｙ０，Ｚ０）の比と実測された３刺激値（Ｘ１，Ｙ１，Ｚ１）の比が等しく、実測された分光分布が略目標値に等しいと考えられるので、本処理は補正用光源３０の調整を行うことなく終了し、図３のステップＳ１０２において測色が行われた後、本処理が繰り返される。なお、ステップＳ２００、Ｓ２０２の判定は、例えば｜Ｘ０／Ｙ０−Ｘ１／Ｙ１｜、｜Ｚ０／Ｙ０−Ｚ１／Ｙ１｜が所定値以内であるか否かで判定される。
【００３３】
一方、ステップＳ２００において、Ｘ０／Ｙ０がＸ１／Ｙ１に等しくないと判定されたときには、ステップＳ２０４において、Ｘ１／Ｙ１の値がＸ０／Ｙ０よりも小さいか否かが判定される。Ｘ１／Ｙ１の値がＸ０／Ｙ０よりも大きいときには、実測されたＸ成分、すなわち赤色（Ｒ）成分の比率が目標値よりも高いので、ステップＳ２０６において、補正用光源３０の赤色（Ｒ）成分の光源の明るさが所定の値低減され、この処理は終了する。なお本実施形態では、ＲＧＢチップ搭載のＬＥＤ光源が用いられるため、Ｒ成分のＬＥＤ電流の値が所定量低減される。
【００３４】
また、ステップＳ２０４において、Ｘ１／Ｙ１の値がＸ０／Ｙ０よりも小さいときには、実測されたＸ成分、すなわち赤色（Ｒ）成分の比率が目標値よりも低いので、ステップＳ２０８において、補正用光源３０の赤色（Ｒ）成分の光源の明るさが所定の値増大され、この処理は終了する。すなわち本実施形態では、Ｒ成分のＬＥＤ電流の値が所定量増大される。
【００３５】
一方、ステップＳ２００においてＸ０／Ｙ０がＸ１／Ｙ１に等しいと判断されるとともにステップＳ２０２において、Ｚ０／Ｙ０がＺ１／Ｙ１に等しくないと判定されたときには、ステップＳ２１０において、Ｚ１／Ｙ１の値がＺ０／Ｙ０よりも小さいか否かが判定される。Ｚ１／Ｙ１の値がＺ０／Ｙ０よりも大きいときには、実測されたＺ成分、すなわち青色（Ｂ）成分の比率が目標値よりも高いので、ステップＳ２１２において、補正用光源３０の青色（Ｂ）成分の光源の明るさ（Ｂ成分のＬＥＤ電流値）が所定の値低減され、この処理は終了する。
【００３６】
また逆にＺ１／Ｙ１の値がＺ０／Ｙ０よりも小さいときには、実測されたＺ成分、すなわち青色（Ｂ）成分の比率が目標値よりも低いので、ステップＳ２１４において、補正用光源３０の赤色（Ｒ）成分の光源の明るさ（Ｂ成分のＬＥＤ電流値）が所定の値増大され、この処理は終了する。
【００３７】
以上のように、第１実施形態によれば、主光源の経時的な分光分布の変化に合わせて補正光源の分光分布を制御することで、光源の分光分布を経時的に一定に維持することができる。特に本実施形態では受光センサに３刺激値を出力する色彩計を用いることで、より低価格で本発明を構成することができる。
【００３８】
なお本実施形態では、明るさに最も影響する緑色（Ｇ）に対応するＹ値を基準として分光分布の調整を行い、Ｇ成分の明るさを一定に維持している。
【００３９】
図５に、第１実施形態の変形例である補正用光源調整処理のフローチャートを示す。第１実施形態では、３刺激値におけるＹを基準としたＸ、Ｚの比に基づいて補正用光源の調整を行い分光分布の調整を行ったが、変形例では色度値（ｘ，ｙ）を用いて調整を行う。なお変形例では図３のステップＳ１０４の内容が、図４から図５に置き換わるが、その他の構成は第１実施形態と同様でありその説明を省略する。
【００４０】
ステップＳ３００では、３刺激値の値からそれぞれ目標色度値（ｘ０，ｙ０）および実測色度値（ｘ１，ｙ１）が算出される。すなわち、ｘ＝Ｘ／（Ｘ＋Ｙ＋Ｚ）、ｙ＝Ｙ／（Ｘ＋Ｙ＋Ｚ）の式に、目標３刺激値（Ｘ０，Ｙ０，Ｚ０）、実測３刺激値（Ｘ１，Ｙ１，Ｚ１）をそれぞれ代入することで目標色度値（ｘ０，ｙ０）および実測色度値（ｘ１，ｙ１）が求められる。
【００４１】
ステップＳ３０２、Ｓ３０４では、ｘ１がｘ０と異なるか、ｙ１がｙ０と異なるか否かがそれぞれ判定される。ｘ１＝ｘ０、ｙ１＝ｙ０のとき（例えば｜ｘ１−ｘ０｜、｜ｙ１−ｙ０｜＜所定値）には、実測された色度が目標色度に等しいので、補正用光源３０の調整を行うことなく本処理は終了する。一方、ステップＳ３０２において、ｘ１がｘ０に等しくないと判定されるときには、ステップＳ３０６において、ｘ１がｘ０よりも大きいか否かが判定される。
【００４２】
ｘ１がｘ０よりも大きいときには、目標値に比べ実測値のＲ成分が相対的に大きいと考えられるため、ステップＳ３０８において、Ｒ（赤）成分の光量（電流値）を所定量低減する、あるいはＢ（青）成分の光量（電流値）を所定量増大してこの処理は終了する。また、ステップＳ３０６においてｘ１の値がｘ０よりも小さいと判定された場合には、目標値に比べ実測値のＲ成分が相対的に小さいと考えられるため、ステップＳ３１０において、Ｒ（赤）成分の光量（電流値）を所定量増大する、あるいはＢ（青）成分の光量（電流値）を所定量低減してこの処理は終了する。
【００４３】
一方ステップＳ３０２においてｘ１がｘ０に等しいと判断されるとともにステップＳ３０４においてｙ１がｙ０に等しくないと判断されたときには、ステップＳ３１２においてｙ１がｙ０よりも大きいか否かが判定される。ｙ１がｙ０よりも大きいときには、目標値に比べ実測値のＧ成分が相対的に大きいと考えられるため、ステップＳ３１４において、Ｇ（緑）成分の光量（電流値）を所定量低減してこの処理は終了する。また、ステップＳ３１２においてｙ１の値がｙ０よりも小さいと判定された場合には、目標値に比べ実測値のＧ成分が相対的に小さいと考えられるため、ステップＳ３１６において、Ｇ（緑）成分の光量（電流値）を所定量増大してこの処理は終了する。
【００４４】
以上のように、本変形例においても第１実施形態と同様の効果を得ることができる。なお、本変形例において、Ｒ成分を増加（低減）するか、Ｂ成分を低減（増加）するかは任意であるが、例えば目標色度（ｘ０，ｙ０）と一致させるのに、定格電流からの可変値が小さい方が選択される構成とすることもできる。
【００４５】
次に図６、図７を参照して本発明の第２実施形態の分光分布調整装置を搭載した電子内視鏡装置について説明する。なお、図６は第２実施形態の電子内視鏡装置の構成を示すブロック図であり、図６では、照明系と撮像系に関する一部の構成のみが示され、その他の多くの構成は省略されている。
【００４６】
第１実施形態では、ビームスプリッタ３１（図２参照）で主光束から分岐された主光源２１または主光源２１および補正用光源３０からの光が受光センサ３２で検知されたが、第２実施形態では、ライトガイド４２を介した照明光を受光センサ３２で検知して補正用光源の調整が行われる。なお、その他の構成に関しては第１実施形態または第１実施形態の変形例と同様であり、同一の構成については同一参照符号を用いその説明を省略する。
【００４７】
図６に示されるように、第２実施形態において、ライトガイド４２は、その一部のファイバ束４２Ａが例えばスコープ４０のプロセッサ装置４１との接続に用いられるコネクタ４０Ａ内で分岐され、コネクタ４０Ａ内に設けられた受光センサ３２に入射された光の一部が照射される。なお受光センサ３２は、コネクタ４０Ａを介して電気的にプロセッサ装置４１内の分光分布調整装置４３に接続され、スコープ装着時に第２実施形態の分光分布調整装置４３の一部を構成する。
【００４８】
図７は、第２実施形態の分光分布調整装置４３の構成を示すブロック図である。なお、本図において絞り２４や集光レンズ２５は省略されている。主光源２１、補正用光源３０、光加算用光学素子としてのビームスプリッタ３１の配置は第１実施形態と略同様であり、ビームスプリッタ３１を介した主光源２１からの光および補正用光源３０からの光は、集光レンズ２５（図６）を通してライトガイド４２の入射端に集光される。
【００４９】
前述したように、ライトガイド４２を構成する光ファイバ束の一部は、スコープ４０のコネクタ４０Ａ（図６）内において分岐ファイバ束４２Ａとして分岐され、その出射端からは、受光センサ３２に入射された光の一部が照射される。一方、分岐ファイバ束４２Ａ以外のライトガイド本体は、スコープ４０の挿入部先端にまで配設され、その先端からは被写体Ｓに向け照明光が照射される。
【００５０】
受光センサ３２で実測された３刺激値（Ｘ１、Ｙ１、Ｚ１）は、補正回路３３へ入力され、メモリ３４の目標３刺激値（Ｘ０、Ｙ０、Ｚ０）との比較により、第１実施形態または変形例と同様の方法で、補正用光源３０のＲＧＢ光の各出力が調整される。
【００５１】
以上のように、第２実施形態においても第１実施形態およびその変形例と同様の効果を得ることができる。また、第２実施形態では、ライトガイドを通した光を受光センサで測色しているので、ライトガイドの劣化による分光分布の変化も補正することができる。
【００５２】
なお、第２実施形態ではライトガイドを通した光を測色するので、目標パラメータ値（３刺激値）として、前回使用終了時のパラメータ値（実測３刺激値）を用いる変わりに、スコープのシリアル番号を取得し、シリアル番号に対応した目標値をメモリから読み出す構成とすることもできる。
【００５３】
なお、本実施形態では、分光分布を表すパラメータとして３刺激値ＸＹＺを用いたが、分光分布を表すパラメータであれば３刺激値以外のものも利用可能である。また受光センサには、色彩計の他、例えば分光測色計も利用できる。また補正用光源も計測されたパラメータに合わせて分光分布を制御できるものであれば、ＲＧＢ成分を可変とする光源に以外のものであってもよい。
【００５４】
本実施形態では電子内視鏡を例に説明を行ったが、イメージガイドを利用する内視鏡の光源装置に対しても本発明を適用することができ、光源装置がプロセッサ装置から独立した電子内視鏡システムに対しても適用できる。また、内視鏡以外の光源装置にも適用可能である。
【００５５】
なお、図２、図７では、ビームスプリッタが主光源からの光束全体を横切るように描かれているが、光束の中心の一部分のみを横切る構成とすることも可能である。また、第２実施形態の分岐ファイバ束および受光センサをプロセッサ装置内に配置することも可能である。
【００５６】
本実施形態の分光分布調整処理は、点灯開始から光源が安定するまでの所定時間に亘ってのみ実行する構成とすることもできる。また、所定時間内のみ連続的に実行され、その後は光源やライトガイドの経時劣化による変動を補正するために５分〜１０分など、一定間隔をおいて調整される構成であってもよく、この場合、補正が行われる頻度（間隔）は調整可能とされてもよい。
【００５７】
また、主光源の光量よりも補正用光源の光量の方が大きくなった場合に、主光源交換の警告（警告音や警告表示）を発する構成とすることもでき、これは例えば補正用光源の電流値等を監視することにより行われる。
【符号の説明】
【００５８】
１０  電子内視鏡装置
１１  スコープ
１２  プロセッサ装置
１３  モニタ
１４  撮像素子
２１  主光源
２２  ライトガイド
２３  分光分布調整装置
３０  補正用光源
３１  ビームスプリッタ（光加算用光学素子）
３２  受光センサ
３３  補正回路
３４  メモリ
【図１】
2013090878.tif 000003
【図２】
2013090878.tif 000004
【図３】
2013090878.tif 000005
【図４】
2013090878.tif 000006
【図５】
2013090878.tif 000007
【図６】
2013090878.tif 000008
【図７】
2013090878.tif 000009